(57)【特許請求の範囲】
【請求項１】
他の機器へ電源を供給できるサービスコンセントを備えた室内機と、同室内機を操作するリモコンを備えた空気調和機であって、
前記室内機は、入力した交流電源を前記サービスコンセントへ出力する電力供給線が設けられ、前記電力供給線に直列に接続され、前記サービスコンセントへの接続または遮断を切り換えるスイッチと、人の存在の有無を検知する人検知センサと、前記電力供給線に流れる電流を検出する電流検出部と、前記電力供給線に流れる待機電流の閾値を記憶する記憶部と、前記スイッチを遮断させるまでの時間をカウントするタイマーと、これらを制御する室内機制御部とを備えた空気調和機であって、
前記室内機制御部は、前記リモコンによって前記サービスコンセントに接続される全機器が待機状態にある時の前記閾値の設定操作が行われた時、前記電流検出部で検出した電流値から予め定めた率で割増した値を前記閾値として記憶部に記憶し、
前記人検知センサで人の存在が非検知となった時、前記空気調和機が停止中でかつ前記電流検出部で検出した電流値が前記閾値以上の場合に前記タイマーを起動し、タイマーカウントが所定値に到達または前記電流検出部で検出した前記電流値が前記閾値未満に移行した場合、前記スイッチを遮断することを特徴とする空気調和機。
【発明の詳細な説明】
【技術分野】
【０００１】
本発明は、人検知センサを備えたコンセントに係わり、より詳細には接続された家庭用電気機器への電力供給を同機器の使用状態とセンサ情報に基づいて制御するものである。
【背景技術】
【０００２】
近年の温暖化防止対策などから節電意識は急速に高まっているが、家庭用電気機器はリモコン操作を受付けるなどの目的で、その機器のスイッチをオフしている状態でもコンセントに接続されている場合には待機電力が消費されている場合が多い。このような待機電力は個々の製品では消費する電力が僅かとなるようにそれぞれ設計されているが、例えば一般的な家庭においては複数の製品が常時待機電力を消費しているため、家庭全体の消費電力が大きくなるという問題があった。
【０００３】
このため利用者は、使用しない機器をコンセントから外すことで待機電力を減らす取り組みを行っているが、このような取り組みには利用者の手間を要することから、使用頻度の高い機器が複数存在する近年の一般家庭においては継続的な実施が困難であった。
【０００４】
上記のような問題を解決するために、人検知センサを用いた送風運転の他に、人検知センサを用いて他の機器への通電／遮断を制御するサービスコンセントを備えた扇風機が提案されている。（例えば、特許文献１参照）。
【先行技術文献】
【特許文献】
【０００５】
【特許文献１】特開平１−１９５９９７号公報（第２〜３頁、図１）
【発明の概要】
【発明が解決しようとする課題】
【０００６】
しかしながら、上記特許文献１は、人の存在の有無を検出することに応じてサービスコンセントへの通電／遮断を制御することから、人が居なくなった時に即電源が遮断され音楽や映像の録音・録画や、携帯端末などの充電を行っている場合など、利用者の意図に反してサービスコンセントに接続した機器を停止してしまう場合があり問題であった。
【０００７】
本発明は以上述べた問題点を解決し、その時の人の存在の有無だけではなく、人か居ると思われる場合には電力供給を遮断せず、接続された機器の使用状況に応じて電力供給の遮断を警告するコンセントを提供することを目的とする。
【課題を解決するための手段】
【０００９】
本発明は上述の課題を解決するため、本発明の請求項１に記載の発明は、
他の機器へ電源を供給できるサービスコンセントを備えた室内機と、同室内機を操作するリモコンを備えた空気調和機であって、
前記室内機は、入力した交流電源を前記サービスコンセントへ出力する電力供給線が設けられ、前記電力供給線に直列に接続され、前記サービスコンセントへの接続または遮断を切り換えるスイッチと、人の存在の有無を検知する人検知センサと、前記電力供給線に流れる電流を検出する電流検出部と、前記電力供給線に流れる待機電流の閾値を記憶する記憶部と、前記スイッチを遮断させるまでの時間をカウントするタイマーと、これらを制御する室内機制御部とを備えた空気調和機であって、
前記室内機制御部は、前記リモコンによって前記サービスコンセントに接続される全機器が待機状態にある時の前記閾値の設定操作が行われた時、前記電流検出部で検出した電流値から予め定めた率で割増した値を前記閾値として記憶部に記憶し、
前記人検知センサで人の存在が非検知となった時、前記空気調和機が停止中でかつ前記電流検出部で検出した電流値が前記閾値以上の場合に前記タイマーを起動し、タイマーカウントが所定値に到達または前記電流検出部で検出した前記電流値が前記閾値未満に移行した場合、前記スイッチを遮断することを特徴とする。
【発明の効果】
【００１１】
以上の手段を用いることにより、本発明による請求項１記載のサービスコンセントを備えた空気調和機によれば、空気調和機が稼働中の場合にはサービスコンセントへの電力供給を遮断しないため、利用者の意図と異なる機器の停止をより確実に防止することができる。
【図面の簡単な説明】
【００１２】
【図１】本発明によるコンセントタップを示すブロック図である。（実施例１）
【図２】本発明による電流値に基づいた接続機器の動作判定を説明する説明図である。（実施例１と実施例２）
【図３】本発明による出力接続部に対する電力の供給／遮断方法を説明する説明図である。（実施例１）
【図４】本発明による制御部の処理を示すフローチャートである。（実施例１）
【図５】本発明によるサービスコンセントを備えた空気調和機を示すブロック図である。（実施例２）
【図６】本発明によるサービスコンセントに対する電力の供給／遮断方法を説明する説明図である。（実施例２）
【図７】本発明による室内機制御部の処理を示すフローチャートである。（実施例２）
【発明を実施するための形態】
【００１３】
以下、本発明の実施の形態を、添付図面に基づいた実施例として詳細に説明する。
なお、本発明は以下の実施形態に限定されることなく、本発明の主旨を逸脱しない範囲で種々変形することが可能である。
【００１４】
図１は、本発明による実施例１のコンセントタップを示すブロック図である。
コンセントタップ１０は、部屋の壁面などに設置される家庭用コンセントに接続し電力を入力する入力接続部１１と、入力接続部１１に一方が接続されコンセントタップ１０の内部に配線される電力供給線１３と、電力供給線１３の他方が接続され入力接続部１１から入力した電力を他の電気製品や電源タップなどに出力する出力接続部１２と、電力供給線１３に直列に配置され出力接続部１２への電力の供給／遮断を切り換えるスイッチ１４と、コンセントタップ１０の側面に設けられるボタンやスイッチなど、利用者が操作する操作手段１５とを備えている。
【００１５】
また、コンセントタップ１０は、人の存在の有無を検知する人検知センサ２１と、電力供給線１３を介して出力接続部１２側に流れる電流を検出する電流検出部２２と、操作手段１５が操作された時に電流検出部２２で検出した電流値から出力接続部１２に接続される機器の動作判定に使用する電流の閾値を記憶する記憶部２３と、スイッチ１４を遮断させるまでの時間をカウントするタイマー２６と、利用者へタイマー２６の作動状態を警告音で報知する音出力部２４と、これらを制御する制御部２５と、入力接続部１１に電力供給線１３で接続され、以上説明した各部へ直流電源を供給する電源部１６とを備えている
。
【００１６】
このように構成された実施例１のコンセントタップ１０では、人の存在の有無と、電流検出値と電流の閾値による接続機器の動作状態に基づいて、スイッチ１４を接続／遮断することで出力接続部１２に接続された機器への電源供給を制御することができる。
【００１７】
図２は、本発明による電流値に基づいた接続機器の動作判定を説明する説明図である。
この説明図を用いて、実施例１の電流検出部２２で検出した電流値に基づいて出力接続部１２に接続される機器の動作状態を判定する方法を説明する。
【００１８】
図２上部のグラフにおいて、縦軸に電流検出部２２で検出した電流値（Ａ）、横軸に時間の経過を記している。
【００１９】
また、図２下部において、縦軸に出力接続部１２に接続される機器Ａと機器Ｂとの動作状態、電流閾値の設定操作、動作機器有無の判定結果を示している。
また、図２下部のＴ１〜Ｔ５のタイミングは縦点線で図２上部のグラフと同期しており
、下部の機器Ａと機器Ｂの動作状態に基づいた電流値の遷移を示している。
なお、機器Ａの停止時の待機電流は０．０２（Ａ）、動作時の消費電流は２．００（Ａ）、機器Ｂの停止時の待機電流は０．０３（Ａ）、動作時の消費電流は３．００（Ａ）と仮定して説明する。
【００２０】
利用者は、出力接続部１２に接続する全ての機器が機器Ａと機器Ｂの場合、各機器が待機中にあるＴ１において、予め接続機器の動作状態判定に利用する閾値を設定するためにコンセントタップ１０の操作手段１５を操作する。
Ｔ１において、制御部２５は操作手段１５の操作が行われると、電流検出部２２で検出した電流値０．０５（Ａ）から待機電流の変動を考慮した所定の割合、例えば＋２０％など、を加えた電流値０．０６（Ａ）を閾値として記憶部２３に記憶する。また、後述する条件で電流検出部２２で検出した電流値と記憶部２３に記憶された閾値を比較し、電流値が閾値以上の場合は動作機器「有り」、電流値が閾値未満の場合は動作機器「無し」と判定する。なお、Ｔ１においては、動作機器「無し」と判定する。
【００２１】
続いて、機器Ａの電源がＯＮされ動作中に移行したＴ２において、制御部２５は電流検出部２２で検出した電流値２．００（Ａ）が記憶部２３の閾値０．０６（Ａ）よりも大きい電流値のため動作機器「有り」と判定する。
続いて、機器Ａに加えて機器Ｂの電源がＯＮされ動作中に移行したＴ３において、制御部２５は電流検出部２２で検出した電流値５．００（Ａ）が記憶部２３の閾値０．０６（Ａ）よりも大きい電流値のため動作機器「有り」と判定する。
【００２２】
続いて、機器Ａの電源がＯＦＦされ待機中に移行したＴ４において、制御部２５は電流検出部２２で検出した電流値３．００（Ａ）が記憶部２３の閾値０．０６（Ａ）よりも大きい電流値のためから動作機器「有り」と判定する。
続いて、機器Ａに加えて機器Ｂの電源がＯＦＦされ全ての接続機器の動作状態が待機中に移行したＴ５において、制御部２５は電流検出部２２で検出した電流値０．０５（Ａ）が記憶部２３の閾値０．０６（Ａ）よりも小さい電流値のため動作機器「無し」と判定する。
【００２３】
このように、実施例１のコンセントタップ１０は出力接続部１２に接続された全ての機器が待機中の時に設定された閾値と、検出した電流値とによって出力接続部１２に接続された機器が動作中であるか否かの状態を判定することができる。
なお、接続機器の正確な状態判定のためには、利用者は閾値設定後に接続する機器の変更や接続機器の主電源を切断するなど機器の設定を変更した場合には閾値を再設定する必要がある。
【００２４】
図３は、本発明による実施例１の出力接続部１２に対する電力の供給／遮断方法を説明する説明図である。
図３（１）では、制御部２５が人検知センサ２１により人の存在を検知している状態から「非検知」の状態に移行したと判断した時に、出力接続部１２に接続される機器が図２で説明した接続機器の動作判定において動作機器「有り」と判定した場合に実行する制御を示している。
また、図３（２）では、制御部２５が人検知センサ２１により図３（１）と同様に非検知の状態に移行したと判断した時に、出力接続部１２に接続される機器が図２で説明した接続機器の動作判定において動作機器「無し」と判定した場合に実行するスイッチ１４の制御を示している。
【００２５】
なお、図３（１）と図３（２）は、縦軸の各構成部の状態が横軸の時間軸の経過とともに遷移する制御状態を示している。
また、図３（１）のＴ１ａとＴ１ｂはＴ１の状態から異なる条件によって分岐するそれぞれの制御を示しており、点線はこの分岐した制御による各構成部の状態を示している。
【００２６】
図３（１）のＴ１において、制御部２５は人検知センサ２１の検知状態が人を検知した状態から非検知に変化すると、接続機器の動作判定を開始し、動作機器「有り」と判定した場合には、タイマー２６においてスイッチ１４をＯＦＦに作動させるタイマーカウントを開始すると共に、音出力部２４に警告音を出力させ利用者へ一定時間後に出力接続部１２への電源供給を遮断することを報知する。
【００２７】
続いて、制御部２５は、図３（１）のＴ１で開始したタイマーカウントが終了に到達したＴ２において、Ｔ１で音出力部２４から出力を開始した警告音を停止し、スイッチ１４をＯＦＦに切り換え、接続機器への電力供給を遮断する。
【００２８】
一方、制御部２５は、図３（１）のＴ１で開始したタイマーカウント中に、人検知センサ２１の検知状態が「検知」に移行した条件、例えば利用者がトイレなどで一旦部屋を退出したが直ぐに戻ってきた場合などのＴ１ａにおいて、タイマーカウントを中止し、Ｔ１で音出力部２４からの警告音を停止する。
【００２９】
また、制御部２５は、図３（１）のＴ１で開始したタイマーカウント中に、接続機器の動作判定において動作機器「無し」の判定に移行した条件、例えば接続機器側の機能で自動的に機器が待機状態に移行した場合や、充電中であった接続機器の充電が完了した場合などのＴ１ｂにおいて、タイマーカウントを中止し、Ｔ１で音出力部２４からの警告音を停止し、直ちにスイッチ１４をＯＦＦに切り換え、接続機器への電力供給を遮断する。
【００３０】
制御部２５は、図３（１）のＴ２もしくはＴ１ｂでスイッチ１４がＯＦＦの状態となった後、再び人検知センサ２１の検知状態が「検知」に移行したと判断したＴ３において、スイッチ１４をＯＮに切り換え、接続機器への電力供給を開始する。
【００３１】
制御部２５は、図３（２）のＴ１において、人検知センサ２１の検知状態が検知から非検知に変化すると、接続機器の動作判定を行い、接続機器の動作判定において動作機器「無し」と判定した場合には、直ちにスイッチ１４をＯＦＦに切り換え、接続機器への電力供給を遮断する。
【００３２】
制御部２５は、図３（２）のＴ１でスイッチ１４がＯＦＦの状態となった後、再び人検知センサ２１の検知状態が「検知」に変化したＴ３において、スイッチ１４をＯＮに切り換え、接続機器への電力供給を開始する。
【００３３】
このように、実施例１のコンセントタップ１０は、人検知センサ２１の検知状態と、接続機器の動作状態とに応じてスイッチ１４を切り換え、動作機器「有り」の場合にはタイマー２６によりスイッチ１４をＯＦＦにするまでの所定時間のカウントを開始すると共に、音出力部２４に警告音を出力させ利用者へ同所定時間後に出力接続部１２への電源供給を遮断することを報知するため、利用者の意図と異なる機器の停止を防止することができる
。
また、動作機器「無し」の場合には直ちに接続機器への電力供給を遮断するため、待機電力の削減効果を得ることができる。
【００３４】
図４は、本発明の実施例１による制御部２５の処理を示すフローチャートである。
なお、図４に記載のＳＴはステップを表し、これに続く数字はステップ番号を、またＹはＹｅｓをＮはＮｏをそれぞれ表している。
【００３５】
実施例１の制御部２５は、電流の閾値を設定する操作手段１５が操作されたか否かを確認する（ＳＴ１）。なお、この操作手段１５は出力接続部１２に接続される全ての機器が待機中にある時に利用者が操作する。
操作手段１５が操作された場合（ＳＴ１−Ｙ）、電流検出部２２で検出した電流値から所定の割合を加えた電流値を閾値として設定し、記憶部２３に記憶する（ＳＴ２）。そして、ＳＴ１へジャンプする。
【００３６】
ＳＴ１において、操作手段１５が操作されていない場合（ＳＴ１−Ｎ）、人検知センサ２１により人の存在の有無を確認する（ＳＴ３）。人の存在を検知している場合（ＳＴ３−Ｙ）、スイッチ１４をＯＮに切り換えまたはすでにＯＮの場合には、その状態を維持する（ＳＴ４）。タイマー２６がカウント中か否かを確認する（ＳＴ５）。カウント中の場合（ＳＴ５−Ｙ）、タイマー２６のカウントを中止してリセットする（ＳＴ１２）。そして、ＳＴ１へジャンプする。
また、タイマー２６がカウント中でない場合（ＳＴ５−Ｎ）、ＳＴ１へジャンプする。
【００３７】
ＳＴ３において、人の存在を検知していない場合（ＳＴ３−Ｎ）、出力接続部１２に接続される動作機器の有無を判定するために電流検出部２２で検出した電流値が、記憶部２３に記憶されている閾値以上であるか否かを確認する。（ＳＴ６）。電流値が閾値以上の場合（ＳＴ６−Ｙ）、タイマー２６のカウントが所定値に到達したか否かを確認する（ＳＴ７）。タイマー２６のカウントが所定値に到達していない場合（ＳＴ７−Ｎ）、タイマー２６がカウント中か否かを確認する（ＳＴ８）。タイマー２６がカウント中の場合（ＳＴ８−Ｙ）、ＳＴ１へジャンプする
。
【００３８】
一方、ＳＴ８において、タイマー２６がカウント中でない場合（ＳＴ８−Ｎ）、タイマー２６のカウントを開始すると共に音出力部２４に警告音を出力させ利用者へ一定時間後に出力接続部１２への電源供給を遮断することを報知する（ＳＴ９）。そして、ＳＴ１へジャンプする。
【００３９】
ＳＴ６において、電流検出部２２で検出した電流値が、記憶部２３に記憶されている閾値未満の場合（ＳＴ６−Ｎ）、タイマー２６のカウントを中止してリセットする（ＳＴ１０）。そして、スイッチ１４をＯＦＦに切り換える（ＳＴ１１）。そして、ＳＴ１へジャンプする。
また、ＳＴ７において、タイマー２６のカウントが所定値に到達している場合（ＳＴ７−Ｙ）、ＳＴ１０へジャンプする。
【００４０】
図５は、本発明による実施例２におけるサービスコンセントを備えた空気調和機を示すブロック図である。なお、図５には本発明の要部となる構成のみを示しており、本発明と直接関係ない空気調和機に通常備わる各種構成部の図示と説明を省略している。
空気調和機の室内機３０は、交流電源に一方が接続され交流電源から電力を入力する電力供給線３１と、電力供給線３１の他方が接続され、他の機器へ電力を供給するアウトレット３２と、電力供給線３１に直列に配置され、アウトレット３２への電力の供給／遮断を切り換えるスイッチ３３とを備えている。
【００４１】
また、室内機３０は、人の存在の有無を検知する人検知センサ４１と、電力供給線３１を介してアウトレット３２に流れる電流を検出する電流検出部４２と、アウトレット３２に接続される機器の動作判定に使用する電流の閾値を記憶する記憶部４３と、リモコン５０との通信を行う通信部４５と、スイッチ３３を遮断させるまでの時間をカウントするタイマー４７と、利用者へアウトレット３２への電源供給を遮断することを報知する音出力部４４と、これらを制御する室内機制御部４６と、交流電源に電力供給線３１で接続され、以上説明した各部へ直流電源を供給する電源部３４とを備えている。
【００４２】
また、空気調和機の電波式無線リモコンであるリモコン５０は、利用者が空気調和機へ運転開始や終了、電流の閾値設定などの操作を行うキー入力部５１と、室内機３０との通信を行うリモコン通信部５２と、空気調和機の運転状態やアウトレット３２に接続される機器の動作状態などを表示して利用者に通知するリモコン表示部５３と、これらを制御するリモコン制御部５４とを備えている。
【００４３】
このように構成された実施例２の空気調和機では、空調運転の状態と、人の存在の有無と、電流検出値と電流の閾値による接続機器の動作状態に基づいて、利用者への警告を表示し、スイッチ３３を接続／遮断することでアウトレット３２に接続された機器への電源供給を制御し、利用者による空調運転の停止操作が行われた時には停止入力を行ったリモコン５０によって、アウトレット３２に接続された機器への電力の供給と遮断を選択することができる。
【００４４】
また、実施例２の室内機３０は、人検知機能を有した空気調和機に電力供給線３１と、アウトレット３２と、スイッチ３３とを加えた構成であるため、追加する構成とこれらを制御するソフトウェアの開発コストのみで、実施例１のコンセントタップ１０と同等な機能を持ったサービスコンセント４８を提供することができる。
【００４５】
また、実施例２の室内機３０と室内機３０の人検知センサ４１とは、空気調和機の特性から室内機３０が設置される部屋の全域が検知範囲となるように設計、設置されるため、床面付近のコンセントや他の電気製品に備えられた人検知センサよりも、人の存在の有無を誤検知する可能性が低く実用性に優れている。
【００４６】
図２は、本発明による電流値に基づいた接続機器の動作判定を説明する説明図である。
この説明図を用いて、実施例２の電流検出部４２で検出した電流値に基づいてサービスコンセント４８に接続される機器の動作状態を判定する方法を説明する。
なお、実施例２では実施例１と同様となる説明を省略し、実施例１と異なる部分のみ説明する。ただし、電流検出部４２で検出される電流値には室内機３０で待機時に消費される電流も含まれるため、サービスコンセント４８に接続される機器の動作状態を判定する場合には、事前にこれを差し引いて用いる。
【００４７】
また、実施例２の説明の前提としてＴ１〜Ｔ５の全てのタイミングで室内機３０の空調運転が停止中であり、図２上部のグラフには室内機３０の待機電力を減算した電流値を示しているものとする。
【００４８】
利用者は、サービスコンセント４８に接続する全ての機器が実施例１と同様に機器Ａと機器Ｂの場合、各機器が待機中にあるＴ１において、予め接続機器の動作状態判定に利用する閾値を設定するためにリモコン５０から待機電力である電流値を設定する操作を行う
。
Ｔ１において、室内機制御部４６はリモコン５０から電流値の設定信号を受信すると、電流検出部４２で検出した電流値０．０５（Ａ）から待機電流の変動を考慮した所定の割合、例えば＋２０％など、を加えた電流値０．０６（Ａ）を閾値として記憶部４３に記憶する。また、閾値が設定された室内機制御部４６は、電流検出部４２で検出した電流値と記憶部４３に記憶された閾値を比較し、電流値が閾値以上の場合は動作機器「有り」、電流値が閾値未満の場合は動作機器「無し」と判定する。
【００４９】
続いて、Ｔ２〜Ｔ４において室内機制御部４６は、各タイミングで電流検出部４２で検出した電流値と記憶部４３に記憶された閾値を比較し、各電流値が記憶部４３の閾値０．０６（Ａ）よりも大きい電流値のため動作機器「有り」と判定する。
同様に、Ｔ５において室内機制御部４６は、電流検出部４２で検出した電流値０．０５（Ａ）が記憶部４３の閾値０．０６（Ａ）よりも小さい電流値のため動作機器「無し」と判定する。
【００５０】
このように、実施例２の室内機制御部４６はサービスコンセント４８に接続される全ての機器が待機中の時に設定された閾値と、検出した電流値とによってサービスコンセント４８に接続された機器が動作中であるか否かの状態を判定することができる。
【００５１】
図６は、本発明による実施例２のサービスコンセント４８に対する電力の供給／遮断方法を説明する説明図である。
図６（１）では、室内機制御部４６が人検知センサ４１により人の存在を検知している状態から「非検知」の状態に移行したと判断した時に、サービスコンセント４８に接続される機器が図２で説明した接続機器の動作判定において動作機器「有り」と判定した後、空気調和機が空調運転を開始した場合に実行する制御を示している。
また、図６（２）では、室内機制御部４６が空調運転を停止した時に、サービスコンセント４８に接続される機器が図２で説明した接続機器の動作判定において動作機器「有り」と判定した場合に実行される、リモコン５０とスイッチ３３の制御を示している。
【００５２】
なお、図６（１）と図６（２）の縦軸と横軸の関係は図３と同様であり、縦の一点鎖線でＴ１〜Ｔ５のタイミングと、太線で各構成部の状態と、矢印付きの曲線で実行される制御内容とを示している。
また、図６（１）のＴ１ａとＴ１ｂはＴ１の状態から、図６（２）のＴ５ａとＴ５ｂはＴ５の状態から異なる条件によって分岐するそれぞれの制御を示しており、点線はこの分岐した制御による各構成部の状態を示している。
【００５３】
図６（１）のＴ１において、室内機制御部４６は人検知センサ４１の検知状態が人を検知した状態から非検知に変化すると、室内機３０の空調運転の状態を確認し、空調運転が停止中の場合には接続機器の動作判定を行う。そして、動作判定によって動作機器「有り」と判定した場合には、タイマー４７においてスイッチ３３をＯＦＦに作動させるタイマーカウントを開始すると共に、音出力部４４に警告音を出力させ利用者へ一定時間後にサービスコンセント４８への電源供給を遮断することを報知する。
【００５４】
なお、図６（１）のＴ２と、Ｔ１ａと、Ｔ１ｂと、Ｔ３とにおける室内機制御部４６の制御は、実施例１と同様であり図３に示した人検知センサ２１と、タイマー２６と、音出力部２４と、スイッチ１４とが、図６の人検知センサ４１と、タイマー４７と、音出力部４４と、スイッチ３３との関係にそれぞれに対応する。
【００５５】
室内機制御部４６は、図６（１）のＴ４において、人検知センサ４１の検知状態が検知から非検知に変化すると、室内機３０の空調運転の状態を確認し、室内機３０が空調運転の動作中の場合には、動作機器の判定やスイッチ３３の切り換えを実行しない。
【００５６】
図６（２）のＴ５において、リモコン５０のキー入力部５１から利用者が空調運転を停止する操作を行った時、室内機制御部４６はリモコン通信部５２を介して空調運転の停止信号を受信し接続機器の動作判定を行い、動作機器「有り」と判定した場合には、通信部４５を介してリモコン５０のリモコン表示部５３へ、サービスコンセント４８に接続される機器に動作中の機器が有ることと、サービスコンセント４８への電力供給を継続するか遮断するかの選択画面を表示させ、利用者の選択が行われるまで待機する。
【００５７】
図６（２）のＴ５でリモコン表示部５３に表示させた電力供給の継続／遮断の選択画面から、利用者がキー入力部５１から継続を選択したＴ５ａにおいて、リモコン制御部５４はリモコン通信部５２を介して、電力供給の継続信号を室内機３０へ送信すると共に、Ｔ５で表示した状態をリモコン表示部５３から消去する。
そして、室内機制御部４６は、電力供給の継続信号を入力し利用者の選択待機を解除する。
【００５８】
一方、図６（２）のＴ５でリモコン表示部５３に表示させた電力供給の継続／遮断の選択画面から、利用者がキー入力部５１から遮断を選択したＴ５ｂにおいて、リモコン制御部５４はリモコン通信部５２を介して、電力供給の遮断信号を室内機３０へ送信すると共に、Ｔ５で表示した状態をリモコン表示部５３から消去する。
そして、室内機制御部４６は、電力供給の遮断信号を入力し利用者の選択待機を解除すると共に、スイッチ３３をＯＦＦに切り換え、サービスコンセント４８の接続機器への電力供給を遮断する。
【００５９】
このように、実施例２の室内機３０は、人検知センサ４１の検知状態と、接続機器の動作状態と、空調運転の状況とに応じてスイッチ３３を切り換え、動作機器「有り」の場合にはタイマー４７によりスイッチ３３をＯＦＦにするまでの所定時間のカウントを開始すると共に、音出力部４４に警告音を出力させ利用者へ同所定時間後にサービスコンセント４８への電源供給を遮断することを報知し、空気調和機が動作中の場合には接続機器への電力供給を遮断しないため、利用者の意図と異なる機器の停止をより防止することができる
。
また、実施例１と同様に動作機器「無し」の場合には直ちに接続機器への電力供給を遮断するため、待機電力の削減効果を得ることができる。
さらに、空気調和機が運転を停止した時に動作機器「有り」の場合には、利用者が空調運転の停止操作を行ったリモコン５０へ、動作中の機器が有る状態と、電力供給の継続／遮断を選択させる表示を行うため、利用者は最小限の手間で接続機器への電力供給の継続／遮断を決定することができ、利用者が直ちに電力供給の遮断を選択した場合にはタイマーカウント終了後の電力供給の遮断よりも待機電力の削減効果を得ることができる。
【００６０】
図７は、本発明の実施例２による室内機制御部４６の処理を示すフローチャートである
。なお、図７に記載のＳＴはステップを表し、これに続く数字はステップ番号を、またＹはＹｅｓをＮはＮｏをそれぞれ表している。
【００６１】
利用者は、サービスコンセント４８に接続される全ての機器が待機中にある時に、予め接続機器の動作状態判定に利用する電流の閾値を設定する操作をリモコン５０で実施する
。
実施例２の室内機制御部４６は、リモコン通信部５２を介してこの電流値設定の信号を受信しているか否かを確認する（ＳＴ２１）。電流値設定の信号を受信している場合（ＳＴ２１−Ｙ）、電流検出部４２で検出した電流値から所定の割合を加えた電流値を閾値として設定し記憶部４３に記憶する（ＳＴ２２）。そして、ＳＴ１へジャンプする。
【００６２】
ＳＴ２１において、電流値設定の信号を受信していない場合（ＳＴ２１−Ｎ）、リモコン通信部５２を介して空調運転の停止信号を受信しているか否かを確認する（ＳＴ２３）
。空調運転の停止信号を受信していない場合（ＳＴ２３−Ｎ）、人検知センサ４１により人の存在の有無を確認する（ＳＴ２４）。人の存在を検知している場合（ＳＴ２４−Ｙ）
、スイッチ３３をＯＮに切り換えまたはすでにＯＮの場合には、その状態を維持する（ＳＴ２５）。タイマー４７がカウント中か否かを確認する（ＳＴ２６）。カウント中の場合（ＳＴ２６−Ｙ）、タイマー４７のカウントを中止してリセットする（ＳＴ３７）。そして、ＳＴ１へジャンプする。
また、タイマー４７がカウント中でない場合（ＳＴ２６−Ｎ）、ＳＴ１へジャンプする
。
【００６３】
ＳＴ２４において、人の存在を検知していない場合（ＳＴ２４−Ｎ）、室内機３０が空調運転中か否かを確認する（ＳＴ２７）。室内機３０が空調運転中で無い場合（ＳＴ２７−Ｎ）、サービスコンセント４８に接続される動作機器の有無を判定するために電流検出部４２で検出した電流値が、記憶部４３に記憶されている閾値以上であるか否かを確認する。（ＳＴ２８）。電流値が閾値以上の場合（ＳＴ２８−Ｙ）、タイマー４７のカウントが所定値に到達したか否かを確認する（ＳＴ２９）。タイマー４７のカウントが所定値に到達していない場合（ＳＴ２９−Ｎ）、タイマー４７がカウント中か否かを確認する（ＳＴ３０）。タイマー４７がカウント中の場合（ＳＴ３０−Ｙ）、ＳＴ２１へジャンプする
。
【００６４】
一方、ＳＴ３０において、タイマー４７がカウント中ではない場合（ＳＴ３０−Ｎ）、タイマー４７のカウントを開始すると共に音出力部４４に警告音を出力させ利用者へ一定時間後にサービスコンセント４８への電源供給を遮断することを報知する（ＳＴ３１）。そして、ＳＴ２１へジャンプする。
【００６５】
また、ＳＴ２８において、電流検出部４２で検出した電流値が、記憶部４３に記憶されている閾値未満の場合（ＳＴ２８−Ｎ）と、ＳＴ２９において、タイマー４７のカウントが所定値に到達した場合（ＳＴ２９−Ｙ）とは、タイマー４７のカウントを中止してリセットする（ＳＴ３２）。そして、スイッチ３３をＯＦＦに切り換える（ＳＴ３３）。そして、ＳＴ２１へジャンプする。
一方、ＳＴ２７において、室内機３０が空調運転中の場合（ＳＴ２７−Ｙ）、ＳＴ２１へジャンプする。
【００６６】
一方、ＳＴ２３において、空調運転の停止信号を受信している場合（ＳＴ２３−Ｙ）、サービスコンセント４８に接続される動作機器の有無を判定するために電流検出部４２で検出した電流値が、記憶部４３に記憶されている閾値以上であるか否かを確認する。（ＳＴ３４）。電流値が閾値以上の場合（ＳＴ３４−Ｙ）、リモコン表示部５３へサービスコンセント４８に接続される機器に動作中の機器が有ることと、サービスコンセント４８への電力供給の継続もしくは遮断を選択する画面を表示するように、通信部４５を介してリモコン５０へ指示し、リモコン５０から送信される継続もしくは遮断の信号を受信待機する（ＳＴ３５）。
なお、ＳＴ３５で室内機３０からの指示を受信したリモコン制御部５４は、同指示内容をリモコン表示部５３へ表示し、利用者によりキー入力部５１から継続もしくは遮断の選択が操作されると、リモコン通信部５２を介して室内機３０へその信号を送信する。
【００６７】
ＳＴ３５においてリモコン５０からの信号の受信した室内機３０の室内機制御部４６は
、サービスコンセント４８への電力供給の遮断を選択した信号であるか否かを確認する（ＳＴ３６）。電力供給の遮断を選択した信号の場合（ＳＴ３６−Ｙ）、ＳＴ３３へジャンプする。また、ＳＴ３６において受信した信号が電力供給の継続を選択した信号の場合（ＳＴ３６−Ｎ）、ＳＴ２１へジャンプする。
一方、ＳＴ３４において電流値が閾値未満の場合（ＳＴ３４−Ｎ）、ＳＴ３３へジャンプする。
【００６８】
なお、図４の実施例１と図７の実施例２に共通し、ＳＴ２とＳＴ２２で行われる閾値の設定が未設定の場合には、記憶部２３と記憶部４３に初期値として設定された閾値を基準としてＳＴ６と、ＳＴ２８と、ＳＴ３４における判定を行うものとする。
また、記憶部２３と記憶部４３にＳＴ６と、ＳＴ２８と、ＳＴ３４における判定結果を記録し、閾値設定後の判定結果の累計が閾値以上と閾値未満のいずれか一方に集中する場合には、閾値設定時の接続機器の動作状態に誤りがある可能性が高いため、利用者が正しい閾値設定を行うように図示しない表示部もしくはリモコン表示部５３とへ状態表示を行ってもよい。
これにより、利用者が実施する閾値の誤設定を防止することができる。
【符号の説明】
【００６９】
１０  コンセントタップ
１１  入力接続部
１２  出力接続部
１３  電力供給線
１４  スイッチ
１５  操作手段
１６  電源部
２１  人検知センサ
２２  電流検出部
２３  記憶部
２４  音出力部
２５  制御部
２６  タイマー
３０  室内機
３１  電力供給線
３２  アウトレット
３３  スイッチ
３４  電源部
４１  人検知センサ
４２  電流検出部
４３  記憶部
４４  音出力部
４５  通信部
４６  室内機制御部
４７  タイマー
４８  サービスコンセント
５０  リモコン
５１  キー入力部
５２  リモコン通信部
５３  リモコン表示部
５４  リモコン制御部
【図１】
0005895595.tif 000002
【図２】
0005895595.tif 000003
【図３】
0005895595.tif 000004
【図４】
0005895595.tif 000005
【図５】
0005895595.tif 000006
【図６】
0005895595.tif 000007
【図７】
0005895595.tif 000008